(57)【要約】【構成】Ａ／Ｄ変換回路４８はマイクロフォン５２によって捉えられた音声に基づく音声データを生成し、ＭＰＥＧ２−ＡＡＣオーディオデコーダ３４は、アンテナ１６によって受信された放送番組の音声データを生成する。スイッチＳＷ１は、Ａ／Ｄ変換回路４８から出力された音声データおよびＭＰＥＧ２−ＡＡＣオーディオデコーダ３４から出力された音声データのいずれか一方を選択する。選択された音声データは、信号処理回路４６で音声パケットに符号化された後、無線回路４４およびアンテナ４２を通して通話相手に送信される。【効果】高品質の番組音声を通話相手に伝えることができる。【選択図】  図１
2004297692.tif 000002
【特許請求の範囲】
【請求項１】
移動通信システムとの間で通信を行う移動通信機能と放送システムから少なくとも音声コンテンツを受信するコンテンツ受信機能とを有する携帯端末において、
マイクロフォンによって捉えられた音声に基づく第１音声データを生成する第１生成手段、
前記コンテンツ受信機能を用いて受信された音声コンテンツに基づく第２音声データを生成する第２生成手段、
前記第１音声データおよび前記第２音声データのいずれか一方を選択する選択手段、および
前記選択手段によって選択された音声データを前記移動通信機能を用いて前記移動通信システムに送信する送信手段を備えることを特徴とする、携帯端末。
【請求項２】
前記第２音声データに基づく音声を出力するスピーカをさらに備える、請求項１記載の携帯端末。
【請求項３】
前記コンテンツ受信機能によって前記放送システムから受信されるコンテンツは映像コンテンツを含み、
前記映像コンテンツに基づく映像を出力する映像モニタをさらに備える、請求項１または２記載の携帯端末。
【発明の詳細な説明】
【０００１】
【発明の属する技術分野】
この発明は、携帯端末に関し、特にたとえば、移動通信システムとの間で通信を行う移動通信機能と放送システムから少なくとも音声コンテンツを受信するコンテンツ受信機能とを有する、携帯端末に関する。
【０００２】
【従来技術】
従来のこの種の携帯端末としては、移動通信機能によって通話相手と接続されたとき、マイクロフォンによって捉えられた発話者の音声を通話相手に送信し、コンテンツ受信機能によって放送コンテンツが受信されたとき、この放送コンテンツに基づく音声をスピーカから出力するものがあった。なお、関連する従来技術が、特許文献１に開示されている。
【０００３】
【特許文献１】
特開２００１−１１９６４０号公報
【０００４】
【発明が解決しようとする課題】
しかし、従来の携帯端末では、自分が受信している番組の音声を通話相手に聞かせるには、スピーカからの音声をマイクロフォンによって拾わせる必要があった。このため、外部のノイズによって番組音声の品質が劣化することとなっていた。
【０００５】
それゆえに、この発明の主たる目的は、高品質の音声コンテンツを通話相手に送信することができる、携帯端末を提供することである。
【０００６】
【課題を解決するための手段】
この発明に従う携帯端末は、移動通信システムとの間で通信を行う移動通信機能と放送システムから少なくとも音声コンテンツを受信するコンテンツ受信機能とを有する携帯端末において、マイクロフォンによって捉えられた音声に基づく第１音声データを生成する第１生成手段、コンテンツ受信機能を用いて受信された音声コンテンツに基づく第２音声データを生成する第２生成手段、第１音声データおよび第２音声データのいずれか一方を選択する選択手段、および選択手段によって選択された音声データを移動通信機能を用いて移動通信システムに送信する送信手段を備えることを特徴とする。
【０００７】
【作用】
第１生成手段は、マイクロフォンによって捉えられた音声に基づく第１音声データを生成し、第２生成手段は、コンテンツ受信機能を用いて受信された音声コンテンツに基づく第２音声データを生成する。選択手段は、生成された第１音声データおよび第２音声データのいずれか一方を選択する。送信手段は、選択された音声データを移動通信機能を用いて移動通信システムに送信する。
【０００８】
したがって、選択手段によって第２音声データが選択されたときは、この第２音声データが移動通信システムひいては通話相手に送信される。
【０００９】
【発明の効果】
この発明によれば、第２音声データが直接通信処理を施されるので、高音質の音声コンテンツを通話相手に送信することができる。
【００１０】
この発明の上述の目的，その他の目的，特徴および利点は、図面を参照して行う以下の実施例の詳細な説明から一層明らかとなろう。
【００１１】
【実施例】
図１を参照して、この実施例の携帯通信端末１０は、テレビジョン放送システムを用いて放送された番組コンテンツを受信する放送番組受信回路１２と、移動通信システムを用いて移動通信を行う移動通信回路１４と、放送番組受信回路１２および移動通信回路１４の両方を制御するＣＰＵ６０とを含む。
【００１２】
操作パネル６２の操作によって放送番組の視聴開始操作が行われると、ＣＰＵ６０は、放送番組受信回路１２を起動する。チューナ１８は、アンテナ１６によって捉えられたテレビジョン放送の高周波信号から前回の選局チャネルの高周波信号を抽出し、かつ抽出した高周波信号にＭＰＥＧフォーマットに従う復調処理を施す。これによって、所望のチャネルのディジタル放送データがチューナ１８から出力される。出力されたディジタル放送データは、バッファメモリ２０を介してデマルチプレクサ２２に与えられる。
【００１３】
デマルチプレクサ２２は、与えられたディジタル放送データから映像パケットおよび音声パケットを抽出し、ＡＶセレクタ２４は、抽出された映像パケットおよび音声パケットをＭＰＥＧ４ビデオデコーダ２６およびＭＰＥＧ２−ＡＡＣオーディオデコーダ３４にそれぞれ与える。
【００１４】
ＭＰＥＧ４ビデオデコーダ２６は、与えられた映像パケットをデコードして映像データを生成し、生成した映像データをＮＴＳＣエンコーダ２８に与える。この映像データは、ＮＴＳＣエンコーダ２８によってコンポジット映像信号に変換され、変換されたコンポジット映像信号はＬＣＤモニタ３２に出力される。この結果、選局されたチャネルで放送される番組コンテンツの映像が、ＬＣＤモニタ３２の画面に表示される。
【００１５】
ＭＰＥＧ２−ＡＡＣオーディオエンコーダ３４は、与えられた音声パケットをデコードして音声データを生成する。生成された音声データは、Ｄ／Ａ変換器３６によってアナログ信号である音声信号に変換され、変換された音声信号はスピーカ４０に与えられる。この結果、選局されたチャネルで放送される番組コンテンツの音声がスピーカ４０から出力される。
【００１６】
なお、操作パネル６２によってチャネル切換操作が行われると、選局チャネルがチューナ１８によって切り換えられる。この結果、ＬＣＤモニタ３２から出力される番組映像およびスピーカ４０から出力される番組音声が切り換わる。
【００１７】
操作パネル６２によってダイヤル操作が行われると、ＣＰＵ６０は、移動通信回路１４に設けられた無線回路４４に発呼処理を命令する。この発呼処理に対して相手方が着信操作を行うと、通話可能状態となる。また、アンテナ４２を通して着呼があると、無線回路４４からＣＰＵ６０に対して電話着信が通知される。ＣＰＵ６０は、呼出しのための可視メッセージの発生を放送番組受信回路１２に設けられたキャラクタジェネレータ３０に命令し、呼出しのための可聴メッセージの発生を放送番組受信回路１２に設けられたサウンドジェネレータ３８に命令する。これによって、映像および音声からなる呼出しメッセージがＬＣＤモニタ３２およびスピーカ４０から出力される。呼出しメッセージの出力を受けて、操作パネル６２によって着信操作が行われると、相手方との接続が確立され、通話可能状態となる。
【００１８】
通話可能状態に移行すると、マイクロフォン５２によって捉えられた音声信号がアンプ５０によって増幅され、増幅された音声信号がＡ／Ｄ変換回路４８によってディジタル信号である音声データに変換される。変換された音声データはスイッチＳＷ１を介して信号処理回路４６に与えられ、これよってパケットデータつまり音声パケットに符号化される。符号化された音声パケットは無線回路４４によって変調され、変調された音声パケットはアンテナ４２を介して相手方に発信される。相手方から送られてきた音声パケットは、アンテナ４２によって受信され、無線回路４４によって復調される。復調された音声パケットは信号処理回路４６によって音声データに復号され、復号された音声データは、Ｄ／Ａ変換回路５４によってアナログ信号である音声信号に変換される。変換された音声信号は、アンプ５６を介してスピーカ５８から出力される。
【００１９】
ただし、通話の途中で操作パネル６２によって番組音声送信操作が行われると、ＣＰＵ６０はスイッチＳＷ１の接続先を端子Ｓ１から端子Ｓ２に切り換える。これによって、ＭＰＥＧ−ＡＡＣオーディオエンコーダ３４から出力された音声データがスイッチＳＷ１を介して信号処理回路４６に入力される。この結果、番組音声の音声パケットが生成され、生成された音声パケットが無線回路４４およびアンテナ４２を介して相手方に発信される。
【００２０】
ＣＰＵ３６は、μＩＴＲＯＮのようなマルチタスクＯＳを搭載したマルチタスクＣＰＵであり、図２に示す番組受信タスクおよび図３に示す電話通信タスクを並行して実行する。
【００２１】
図２を参照して、ステップＳ１では視聴開始操作の有無を判別し、ＹＥＳであればステップＳ３で放送番組受信回路１２を起動する。この結果、前回の視聴終了操作の直前に選局されたチャネルがチューナ１８によって選局され、このチャネルで放送されている番組の映像および音声がＬＣＤモニタ３２およびスピーカ４０から出力される。ステップＳ５では視聴終了操作の有無を判別し、ステップＳ９ではチャネル切換操作の有無を判別する。
【００２２】
チャネル切換操作が行われたときはステップＳ９でＹＥＳと判断し、ステップＳ１１でチューニングを行う。これによって、出力映像および出力音声が切り換えられる。チューニングが完了すると、ステップＳ５に戻る。視聴終了操作が行われたときは、ステップＳ５でＹＥＳと判断し、ステップＳ７で放送番組受信回路１２を停止させる。これによって、番組映像および番組音声の出力が停止される。ステップＳ７の処理が完了すると、ステップＳ１に戻る。
【００２３】
図３を参照して、ステップＳ２１ではスイッチＳＷ１を端子Ｓ１に接続する。ステップＳ２３では着呼の有無を判別し、ステップＳ３１ではダイヤル操作の有無を判別する。着呼があるとステップＳ２３でＹＥＳと判断し、ステップＳ２５で呼出しメッセージをＬＣＤモニタ３２およびスピーカ４０から出力する。
【００２４】
これに対して着信操作が行われると、ステップＳ２７でＹＥＳと判断し、ステップＳ２９で呼出しメッセージの非出力処理を経てステップＳ３７で通話処理を行う。ダイヤル操作が行われたときは、ステップＳ３１でＹＥＳと判断し、ステップＳ３３で発呼処理を行う。これに対する通話相手の着信操作によって通話相手との接続が完了すると、ステップＳ３５でＹＥＳと判断し、ステップＳ３７で通話処理を行う。通話処理の結果、通話可能状態が得られる。
【００２５】
ステップＳ３９では通話終了操作の有無を判別し、ステップＳ４３では番組音声送信操作の有無を判別し、そしてステップＳ４７では話者音声送信操作の有無を判別する。通話終了操作が行われたときは、ステップＳ３９でＹＥＳと判断し、ステップＳ４１で通話終了処理を行ってからステップＳ２１に戻る。
【００２６】
番組音声送信操作が行われたときは、ステップＳ４３でＹＥＳと判断し、ステップＳ４５でスイッチＳＷ１を端子Ｓ２に接続する。これによって、ＭＰＥＧ２−ＡＡＣオーディオエンコーダ３４から出力された音声データが信号処理回路４６に入力され、この音声データに基づく音声パケットが通話相手に送信される。
【００２７】
話者音声送信操作が行われたときは、ステップＳ４７でＹＥＳと判断し、ステップＳ４９でスイッチＳＷ１を端子Ｓ１と接続する。これによってＡ／Ｄ変換回路４８から出力された音声データが信号処理回路４６に入力され、この音声データに基づく音声パケットが通話相手に送信される。
【００２８】
以上の説明から分かるように、Ａ／Ｄ変換回路４８はマイクロフォン５２によって捉えられた音声に基づく音声データを生成し、ＭＰＥＧ２−ＡＡＣオーディオデコーダ３４は、アンテナ１６によって受信された放送番組の音声データを生成する。スイッチＳＷ１は、Ａ／Ｄ変換回路４８から出力された音声データおよびＭＰＥＧ２−ＡＡＣオーディオデコーダ３４から出力された音声データのいずれか一方を選択する。選択された音声データは、信号処理回路４６で音声パケットに符号化された後、無線回路４４およびアンテナ４２を通して通話相手に送信される。
【００２９】
したがって、スイッチＳＷ１が端子Ｓ２に接続されたときは、ＭＰＥＧ２−ＡＡＣオーディオデコーダ３４からの音声データが送信処理を施される。これによって、高品質の番組音声を通話相手に伝えることができる。
【図面の簡単な説明】
【図１】この発明の一実施例を示すブロック図である。
【図２】図１実施例の動作の一部を示すフロー図である。
【図３】図１実施例の動作の他の一部を示すフロー図である。
【符号の説明】
１０…携帯通信端末
１２…放送番組受信回路
１４…移動通信回路
２６…ＭＰＥＧ４ビデオデコーダ
３４…ＭＰＥＧ２−ＡＡＣオーディオエンコーダ
４４…無線回路
４６…信号処理回路
６０…ＣＰＵ
【図１】
2004297692.tif 000003
【図２】
2004297692.tif 000004
【図３】
2004297692.tif 000005